(57)【要約】【課題】矩形枠体でパネル板が完全に囲まれた独立構成の強固で意匠性に優れたパネル基材を、本体のパネルに組み込んでパネル装置を構成することができ、簡単な構造で部品点数も少なく、作業性の向上、コスト低減を実現できるパネル装置を提供せんとする。【解決手段】矩形枠体のうち少なくとも左右の縦フレームに長手方向に沿って外方に開口する凹溝を設け、内側にパネル板を取り付けることにより第１のパネル体を構成し、矩形枠体の幅寸法とほぼ同一寸法の幅を有するパネル板を、パネル板の高さ寸法よりも長く、且つ長手方向に沿って内方に突出する凸条部を有する左右の縦枠と下枠とで囲まれた内側に取り付けることによりパネル板の上方に縦枠が延出してなる第２のパネル体を構成し、第２のパネル体の上方に延出した縦枠とその上端間に架設される上枠とで囲まれる内側に、凹溝に対し縦枠の凸条部を挿着させることにより第１のパネル体を組み合わせてなる。【選択図】図１
2008104669.tif 000002
【特許請求の範囲】
【請求項１】
矩形枠体を構成する縦横のフレームのうち、少なくとも左右の縦フレームに長手方向に沿って外方に開口する凹溝を設け、前記縦横のフレームの内側にパネル板を取り付けることにより第１のパネル体を構成し、前記矩形枠体の幅寸法とほぼ同一寸法の幅を有するパネル板を、該パネル板の高さ寸法よりも長く、且つ長手方向に沿って内方に突出する凸条部を有する左右の縦枠と下枠とで囲まれた内側に取り付けることにより前記パネル板の上方に前記縦枠が延出してなる第２のパネル体を構成し、第２のパネル体の上方に延出した前記縦枠と、これら縦枠の上端間に架設される上枠とで囲まれる内側に、前記凹溝に対し前記縦枠の凸条部を挿着させることにより前記第１のパネル体を組み合わせてなることを特徴とするパネル装置。
【請求項２】
前記第１のパネル体が、前記縦横の各フレームの前後両側面に長手方向に亘って突設した断面視鉤状の内方折返し片に対し、表裏二枚の透明または半透明なパネル板の四方の端縁部をそれぞれ係入させることにより構成してなる請求項１記載のパネル装置。
【請求項３】
前記第１のパネル体を構成している縦横のフレームのうち少なくとも左右の縦フレームが、前記内方折返し片の突設位置より内側部分に前後幅が狭くなる段差部を設けてなる請求項２記載のパネル装置。
【請求項４】
前記第１のパネル体を構成している横フレームの両端部に、前記凸条部の上端部又は下端部が係入される切欠溝を形成してなる請求項１〜４の何れか１項に記載のパネル装置。
【請求項５】
前記上枠および下枠を、前記縦枠に設けられた凸条部の上端面および下端面に固定してなる請求項１〜４の何れか１項に記載のパネル装置。
【発明の詳細な説明】
【技術分野】
【０００１】
本発明は、第１のパネル体を第２のパネル体の縦枠間に組み込み、上枠を取り付けて一体化するコンビパネル装置に関する。
【背景技術】
【０００２】
この種のパネル装置として、従来、ガラスパネルの左右および上部を専用フレームで構成するとともに、下部を下方のパネルに差し込み、全体の左右と上部を本体フレームで囲い取り付けたものとして、天板付き家具の非使用端側に配され天板の使用面を外部から遮蔽し得るパネル本体と、該パネル本体を支持し得る支持部とを具備し、パネル本体の一部に天板側からと外部からの双方向から視認可能な窓部を形成したデスクトップパネルにおいて、天板の後端部側における側端部に起立姿勢で対向配置される一対の支柱と、支柱の内側において起立姿勢で対向配置されガラス板の側端部を支持する内フレームと、内フレームの上端部間において略水平な姿勢で配置されガラス板の上端部を支持する上フレームとからなり、内フレームの各壁によって囲まれる平面視コ字型の開口部を、目隠し部の溝部に略連続させるようにし、門型の支持構造によって目隠し部及び窓部を支持させたものが開示されている（例えば、特許文献１参照。）。
【０００３】
また、上枠と下枠と前後分離された左右枠とで構成したブロックパネルとして、裏面に間仕切パネルのフレーム適所に形成された係止孔に嵌合係止する係止具を設けてなる取付枠と、ガラス板と、該ガラス板の周囲に取り付けた保護枠とからなり、前記取付枠の前面に重ねて保護枠を取り付けてなり、矩形状のガラス板の上下左右の周端縁のそれぞれへ、保護枠を構成する上下左右の枠部材の係止縁部分を嵌合係止してガラス板の全周を保護枠で取り囲んだ状態に取り付け、次に、この保護枠の各枠部材の背面基板部分を前記取付枠の各枠部材の表面基板の前面側に重ねて、両者を両面テープで互いに接着するか、あるいはネジ止めすることで、該取付枠と保護枠とを固定することが開示されている（例えば、特許文献２参照。）。
【０００４】
しかしながら、上記特許文献１のデスクトップパネルは、ガラスパネル単体でブロックパネルとしての独立した形態としては存在せず、左右と上部を専用フレームで構成し、下部は下方のパネルに差し込んで構成されることから、ガラスパネル部分の強度向上に限界があり、仕上がりもガラスパネル部分のフレームが門型となり意匠性に欠けるものとなる。また、特許文献２のブロックパネルでは、取付枠の構造が複雑であるとともに保護枠の固定方法も複雑であり、部品点数も多く、作業性の向上、コスト低減に限界がある。
【０００５】
【特許文献１】特開２００１−２１８６２８号公報
【特許文献２】実用新案登録第２５５９５５０号公報
【発明の開示】
【発明が解決しようとする課題】
【０００６】
そこで、本発明が前述の状況に鑑み、解決しようとするところは、矩形枠体でパネル板が完全に囲まれた独立構成の強固で意匠性に優れたパネル基材を、本体のパネルに組み込んでパネル装置を構成することができ、簡単な構造で部品点数も少なく、作業性の向上、コスト低減を実現できるパネル装置を提供する点にある。
【課題を解決するための手段】
【０００７】
本発明は、前述の課題解決のために、矩形枠体を構成する縦横のフレームのうち、少なくとも左右の縦フレームに長手方向に沿って外方に開口する凹溝を設け、前記縦横のフレームの内側にパネル板を取り付けることにより第１のパネル体を構成し、前記矩形枠体の幅寸法とほぼ同一寸法の幅を有するパネル板を、該パネル板の高さ寸法よりも長く、且つ長手方向に沿って内方に突出する凸条部を有する左右の縦枠と下枠とで囲まれた内側に取り付けることにより前記パネル板の上方に前記縦枠が延出してなる第２のパネル体を構成し、第２のパネル体の上方に延出した前記縦枠と、これら縦枠の上端間に架設される上枠とで囲まれる内側に、前記凹溝に対し前記縦枠の凸条部を挿着させることにより前記第１のパネル体を組み合わせてなることを特徴とするパネル装置を構成した。
【０００８】
ここで、前記第１のパネル体は、前記縦横の各フレームの前後両側面に長手方向に亘って突設した断面視鉤状の内方折返し片に対し、表裏二枚の透明または半透明なパネル板の四方の端縁部をそれぞれ係入させることにより構成したものが好ましい。
【０００９】
また、前記第１のパネル体を構成している縦横のフレームのうち、少なくとも左右の縦フレームは、前記内方折返し片の突設位置より内側部分に前後幅が狭くなる段差部が設けられる。
【００１０】
さらに、前記第１のパネル体を構成している横フレームの両端部に、前記凸条部の上端部又は下端部が係入される切欠溝を形成したものが好ましい。
【００１１】
また、前記上枠および下枠は、前記縦枠に設けられた凸条部の上端面および下端面に固定される。
【発明の効果】
【００１２】
以上にしてなる本願発明に係るパネル装置は、第１のパネル体を専用の矩形枠体により独立構成し、強固で意匠性に優れたコンビパネルを提供できる。また、この第１のパネルは、第２のパネル体の上方に延出した縦枠とこの上端間に架設される上枠とで囲まれる内側に、矩形枠体の縦フレームに形成した凹溝に対し縦枠の凸条部を挿着させて組み合わせてなり、簡単な構造で且つ強固に組み合わせることができ、部品点数も少なくコスト低減が可能である。
【００１３】
第１のパネル体は、前記縦横の各フレームの内方折返し片に表裏二枚の透明または半透明なパネル板の四方の端縁部をそれぞれ係入させて構成したので、従来のブロックパネルに比べて部品点数も少なく、パネル板を簡単に取り付けることができる。
【００１４】
また、第１のパネル体の左右縦フレームに、内方折返し片の突設位置より内側部分に前後幅が狭くなる段差部を設けたので、当該段落ちの領域にパネル板内面との隙間が生じ、パネル板が透明または半透明でも当該縦フレーム側面が外部から映りにくくなり、縦フレームが目立たなくなり見栄えを向上できる。
【００１５】
また、第１のパネル体の横フレームの両端部に、縦枠の凸条部の上端部又は下端部が係入される切欠溝を形成したので、組み付け後の矩形枠体の強度をより向上させることができる。
【００１６】
また、上枠および下枠は、縦枠に設けられた凸条部の上端面および下端面に固定されるので、第１のパネル体の枠体を支持する縦枠を上枠および下枠で安定保持でき、全体としてのパネル装置がより強固なものとなる。
【発明を実施するための最良の形態】
【００１７】
次に、本発明の実施形態を添付図面に基づき詳細に説明する。
【００１８】
図１は、本発明に係るパネル装置１の全体構成を示す図であり、図１〜７は代表的実施形態を示し、図中符号Ａは第１のパネル体、Ｂは第２のパネル体、２は縦枠、３は上枠、４は下枠をそれぞれ示している。
【００１９】
本発明のパネル装置１は、図１に示すように、矩形枠体１０を構成する縦横のフレーム５、５、６、７の内側にパネル板９を取り付けて独立構成された第１のパネル体Ａが、第２のパネル体Ｂの左右から上方に延出している縦枠２、２の間に組み込まれ、更に上枠３を取り付けて一体化されたものであり、上方の第１のパネル体Ａと下方の第２のパネル体Ｂのパネル板８とが、縦枠２、２を共用して組み合わされたコンビパネル装置が構成される。なお、本発明のパネル装置は、机上パネルや間仕切パネル、その他の種々のパネル装置として構成できる。
【００２０】
第２のパネル体Ｂは、より具体的には、前記矩形枠体１０の幅寸法とほぼ同一の幅寸法を有するパネル板８を、該パネル板８の高さ寸法よりも前記第１のパネル体Ａの縦フレーム５の長さ寸法分だけ長く設定された左右の縦枠２、２と、下枠４とで囲まれた内側に取り付けて構成されており、パネル板８の左右上方に前記縦枠２、２が延出する。なお、パネル板８は上下複数に分割構成されていてもよい。また、本例では第１のパネル体Ａを一つのみ組み込んだ例を説明するが、複数組み込むことも可能であり、その場合、前記左右の縦枠２、２の長さ寸法をこれら複数のパネル体Ａの縦フレーム５の長さに対応して長く設定しておけばよい。
【００２１】
第１のパネル体Ａの縦横のフレーム５、５、６、７は、それぞれ断面略コ字状のアルミ押し出し材より構成され、左右の縦フレーム５、５には、図４および図５に示すように、長手方向に沿って外方に開口する凹溝５ｂが設けられおり、他方、第２のパネル体Ｂの前記縦枠２，２には、長手方向に沿って内方に突出する凸条部２１が形成されており、断面視略Ｔ字状のアルミ押し出し材で構成されている。さらに、第１のパネル体Ａの横フレーム６の上面には長手方向に沿って外方に開口する凹溝６６が設けられており、他方、上枠３は断面略ロ字状のアルミ押し出し材で構成され、その下面には、前記凹溝６６に係合する突片３５、３５が設けられている。また、横フレーム７の下面には長手方向に沿って２本の突片７６、７６が突設され、第２のパネル体Ｂのパネル板８の上面に前記突片７６が係入する凹溝８０が設けられている。
【００２２】
そして、第２のパネル体Ｂのパネル板８より左右上方に延出した前記縦枠２、２と、これら縦枠２、２の上端間に架設される上枠３とで囲まれる内側に、前記凹溝５ｂに対し前記縦枠２の凸条部２１を挿着させるとともに、突片７６、７６をパネル板８の上面に形成された凹溝８０に挿着させた状態で、前記第１のパネル体Ａに組み込み、上枠３の突片３５を凹溝６６に係合させた状態で上枠３を取り付けてパネル装置１が構成される。
【００２３】
パネル体Ａを構成する前記縦横の各フレーム５、５、６、７の前後両側面５０、６０、７０には、図２、６の断面図にも示すように、長手方向に亘って断面視鉤状の内方折返し片５１、５１、６１、７１が突設され、これら内方折返し片に表裏二枚の透明または半透明なパネル板９、９の四方の端縁部９０、・・・をそれぞれ係入させることにより、パネル板９、９の四方を矩形枠体１０で保持した独立のパネル体Ａが構成されている。
【００２４】
なお本例では、パネル板９、９としてアクリル樹脂やポリカーボネート樹脂からなる透明または半透明の二枚の樹脂板を採用してフロストパネルを構成しているが、これら樹脂板を一枚のみ設けたものや、その他の素材からなるパネル、たとえばガラス板や金属板等、従来からの種々のパネル板を用いることが可能である。
【００２５】
図４〜６に示すように、第１のパネル体Ａの左右の縦フレーム５は、前後両側面５０において内方折返し片５１が突設されている位置よりも内側部分に、前後幅が狭くなる段差部５２が設けられ、該段差部５２より内側の側面領域にパネル板９内面との間に隙間が生じ、とくにパネル板９が透明または半透明の場合に当該縦フレーム側面が外部から映りにくくなり、縦フレーム５の存在感を少なくし、これにより見栄えを向上させている。本例では、凹溝５ｂの分だけ幅が大きくなる縦フレーム５にのみ、このような段差部を設けたが、横フレーム６、７の側面にも同様の段差部を設けても勿論よい。
【００２６】
パネル体Ａの縦横フレーム５、５、６、７は、図３、４に示すように、それぞれ両端部が４５度にカットされ、とくに横フレーム６、７のカット面６２、７２には、縦フレーム５の凹溝５ｂに連通して縦枠２の凸条部２１の上端部又は下端部が係入される切欠溝６３、７３が形成されている。そして、縦フレーム５および横フレーム６（７）のカット面５３、６２（７２）同士を当接させ、横フレーム６（７）の端部に設けられた通孔６４（７４）を貫通する取付ネジ６５（７５）を縦フレーム５の端部に設けられたネジ取付孔５４に螺合することで、互いに略９０度に固定された矩形枠体１０が構成される。
【００２７】
縦枠２、２の上端間に架設される上枠３は、図４に示すように、下面側に上記した突片３５、３５が突設されるとともに、両端部における上壁側に切欠き部３０を有し且つ下壁側に縦枠２を取り付ける取付ネジ３１、３１を挿通するための通孔３２、３２を備えた筒状の部材より構成されており、両端部の各通孔３２を下方に貫通する取付ネジ３１を前記縦枠凸条部２１の上端面２１ａに設けられたネジ取付孔２２に螺合することにより該縦枠２の上端部に固定される。取付ネジ３１による固定の後、上枠３の両端部には筒端開口部３３および切欠き部３０を塞ぐ上部端キャップ３４が取り付けられる。
【００２８】
下枠４は、パネル板８の下面に設けられた凹溝８１に嵌合する凸条部４１が上面に形成され、その両端部が縦枠２の下端部に固定される従来のパネル装置の巾木材と同様の構成を採用できる。パネル板８は、本例では木製板材の表面に織布を張設したクロス板をよりなるクロスパネルとしたが、その他の従来同様のパネルを用いることが可能である。
【００２９】
図７は、本実施形態のパネル装置１を横方向に連設する場合の接続構造を示しており、図４にも示すように縦枠２の外面に設けられた凹溝２３に対し、断面視略Ｉ字状の長尺な連結バー１１を、互いに対向したパネル装置１、１の凹溝２３、２３の間に嵌め込み、該連結バー１１を介して互いに接続される。なお、パネル装置１同士の接続の際、コーナー支柱を介装する場合においても、該コーナー支柱に前記連結バー１１が嵌合する同様の凹溝を形成し、縦枠２の凹溝との間に前記連結バー１１を介装させて各パネル装置１とコーナー支柱を接続すればよい。
【００３０】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００３１】
【図１】本発明の実施形態に係るパネル装置を示す正面図。
【図２】同じくパネル装置を示す縦断面図。
【図３】同じくパネル装置の要部を示す縦断面図。
【図４】同じくパネル装置の要部を示す分解斜視図。
【図５】同じくパネル装置の要部を示す斜視図。
【図６】同じくパネル装置を示す横断面図。
【図７】同じくパネル装置同士の接続構造の要部を示す横断面図。
【符号の説明】
【００３２】
Ａ  パネル体
Ｂ  パネル体
１  パネル装置
２  縦枠
３  上枠
４  下枠
５  フレーム
５ｂ  凹溝
６  横フレーム
７  横フレーム
８  パネル板
９  パネル板
１０  矩形枠体
１１  連結バー
２１ａ  上端面
２１  凸条部
２２  ネジ取付孔
２３  凹溝
３０  切欠き部
３１  取付ネジ
３２  通孔
３３  筒端開口部
３４  上部端キャップ
３５  突片
４１  凸条部
５０  前後両側面
５１  内方折返し片
５２  段差部
５３  カット面
５４  ネジ取付孔
６１  内方折返し片
６２  カット面
６３  切欠溝
６４  通孔
６５  取付ネジ
６６  凹溝
７１  内方折返し片
７２  カット面
７３  切欠溝
７４  通孔
７５  取付ネジ
７６  突片
８０  凹溝
８１  凹溝
９０  端縁部
【図１】
2008104669.tif 000003
【図２】
2008104669.tif 000004
【図３】
2008104669.tif 000005
【図４】
2008104669.tif 000006
【図５】
2008104669.tif 000007
【図６】
2008104669.tif 000008
【図７】
2008104669.tif 000009